【事件の表示】
　特許第２９４９１９０号「布団カバー・シーツ」の請求項１に係る特許に対する特許異議の申立てについて、次のとおり決定する。
【結　論】
　訂正を認める。
　特許第２９４９１９０号の請求項１に係る特許を維持する。
【理　由】
１．手続の経緯
　特許第２９４９１９０号の請求項１に係る発明乃至請求項５に係る発明は、平成９年４月２３日に特許出願され、平成１１年７月９日にその特許の設定登録がなされ、その後異議申立人尾池工業株式会社によりその請求項１に係る発明についての特許に対し特許異議の申立がなされ、取消理由通知がなされ、その指定期間内である平成１２年７月１１日に訂正請求がなされたものである。
２．訂正の適否についての判断
２−１　訂正の内容
　特許権者が求めている訂正の内容は、特許請求の範囲の記載
「【請求項１】織物又は編物からなる布団カバー・シーツにおいて、織物又は編物が、プラスチックフイルム上に抗菌層を設けた偏平糸をそのまま又は該偏平糸を他の糸と丸撚り、たすき撚り等適宜撚った撚り糸を使用した織物又は編物であることを特徴とする、抗菌性布団カバー・シーツ。
  【請求項２】偏平糸が、抗菌層としてＣｕ又はＡｇからなる抗菌性を有する金属薄膜層を設けたものであり、かつ、偏平糸のエッジ部分及び抗菌層の表面部分で抗菌層が露出しているものである、請求項１記載の抗菌性布団カバー・シーツ。
　【請求項３】偏平糸が、抗菌層としてＣｕ又はＡｇからなる抗菌性を有する金属薄膜層を設け該抗菌層上に保護層を設けたものであり、かつ、偏平糸のエッジ部分で抗菌層が露出しているものである、請求項１記載の抗菌性布団カバー・シーツ。
　【請求項４】保護層が抗菌性を有するものである、請求項３記載の抗菌性布団カバー・シーツ。
　【請求項５】織物又は編物からなる布団カバー・シーツにおいて、織物又は編物が、偏平糸又は撚り糸を、本数にして２０〜７０％使用した織物又は編物である、請求項１〜４いずれかの項に記載の抗菌性布団カバーシーツ。」
を、
「【請求項１】織物又は編物からなる布団カバー・シーツにおいて、織物又は編物が、プラスチックフイルム上にＣｕ又はＡｇからなる抗菌性を有する金属薄膜層である抗菌層を設けた偏平糸をそのまま又は該偏平糸を他の糸と丸撚り、たすき撚り等適宜撚った撚り糸を使用した織物又は編物であることを特徴とする、抗菌性布団カバー・シーツ。
　【請求項２】偏平糸が、抗菌層としてＣｕ又はＡｇからなる抗菌性を有する金属薄膜層を設けたものであり、かつ、偏平糸のエッジ部分及び抗菌層の表面部分で抗菌層が露出しているものである、請求項１記載の抗菌性布団カバー・シーツ。
　【請求項３】偏平糸が、抗菌層としてＣｕ又はＡｇからなる抗菌性を有する金属薄膜層を設け該抗菌層上に保護層を設けたものであり、かつ、偏平糸のエッジ部分で抗菌層が露出しているものである、請求項１記載の抗菌性布団カバー・シーツ。
　【請求項４】保護層が抗菌性を有するものである、請求項３記載の抗菌性布団カバー・シーツ。
　【請求項５】織物又は編物からなる布団カバー・シーツにおいて、織物又は編物が、偏平糸又は撚り糸を、本数にして２０〜７０％使用した織物又は編物である、請求項１〜４いずれかの項に記載の抗菌性布団カバーシーツ。」
と訂正しようとするものである。
２−２　訂正の目的の適否、新規事項の有無及び拡張・変更の存否
　上記訂正事項に関する記載として、願書に添付した明細書（以下、「特許明細書」という。）の発明の詳細な説明には「抗菌層としてＣｕ又はＡｇからなる抗菌性を有する金属薄膜層又は抗菌性を有する樹脂層を設けることができるが、Ｃｕ又はＡｇからなる抗菌性を有する金属薄膜層を設けるのが好ましい」と記載されているから、上記訂正事項は、特許請求の範囲の減縮を目的とするものであって、新規事項の追加に該当せず、また、実質上特許の請求の範囲を拡張し、変更するものではない。
　また、請求項１を訂正することにより、実質的に訂正された請求項２に係る発明乃至請求項５に係る発明については、特許出願の際独立して特許を受けることができないものであるとする理由を発見しない。
２−３　むすび
　以上のとおりであるから、上記訂正は、特許法第１２０条の４第２項及び第３項において準用する同法第１２６条第２、３項の規定に適合するので、当該訂正を認める。
３．特許異議申立について
３−１　本件の請求項１に係る発明は、訂正明細書の特許請求の範囲の請求項１に記載された次のとおりのものである。　
　「【請求項１】織物又は編物からなる布団カバー・シーツにおいて、織物又は編物が、プラスチックフイルム上にＣｕ又はＡｇからなる抗菌性を有する金属薄膜層である抗菌層を設けた偏平糸をそのまま又は該偏平糸を他の糸と丸撚り、たすき撚り等適宜撚った撚り糸を使用した織物又は編物であることを特徴とする、抗菌性布団カバー・シーツ。」
３−２　申立の理由の概要
　特許異議申立人尾池工業株式会社は、証拠として甲第１号証（特願平８−３５３６０７（特開平１０−１６８６８８号公報）の願書に最初に添付した明細書及び図面（以下、「先願明細書」という。））を提出し、本件の請求項１に係る発明は、その出願日前の他の出願であって、その出願後に出願公告された上記先願明細書に記載された発明と同一であり、しかも、本件の請求項１に係る発明の発明者が先願明細書に記載された発明者と同一であるとも、また、本件出願の時において、その出願人が上記他の出願の出願人と同一であるとも認められないので、請求項１に係る発明は、特許法第２９条の２第１項の規定に違反してなされたものであり、取り消されるべき旨主張している。
３−３　先願明細書に記載された事項
　異議申立人が提出し、当審が通知した取消理由に引用した上記先願明細書には、「基材フィルムＡの少なくとも片面に、少なくとも無機薄膜層Ｂと抗菌剤を含有樹脂層Ｃとを有する積層体をマイクロスリットしたことを特徴とする抗菌スリット糸」（特許請求の範囲）であること、「本発明は、装飾性に優れた、抗菌作用等を有し細菌に対しての抗菌さらには有害物質の分解や消臭等の性能を有した抗菌性のスリット糸に関する。」（段落【０００１】）こと、「本発明における基材フィルムとは、ポリエチレンテレフタレートやポリブチレンテレフタレートやポリエチレンナフタレートやこれらを主成分とする共重合体ポリエステル等のポリエステル、６?ナイロンや６，６?ナイロンやこれら単位を主成分とする共重合ポリアミドなどのポリアミド、・・・などからのフィルムがある」（段落【０００５】）こと、「無機薄膜層Ｂは装飾性を付与するものであり、その材料としては、アルミニウム、金、銀、錫、白金、クロム、ニッケル、銅等の金属・・・があり、これらの単独または２種以上の混合や積層による使用も採用できる、これらの中でもアルミニウム、クロム、金、銀の金属蒸着層がより好ましいものであり、酸化チタン含有薄膜層は抗菌の相乗効果、補完効果の点でより好ましい。無機薄膜層Ｂの厚さは、特に限定されないが、２０Å〜１０μｍの範囲が採用できる、より好ましくは１００Å〜３μｍである。」（段落【０００７】）こと、「本発明のＡ、Ｂ、Ｃの積層体において、Ｂ／Ａ／Ｂ／Ｃ、Ｃ／Ｂ／Ａ／Ｃ、Ｂ／Ａ／Ｃ／Ｂ、Ａ／Ｂ／Ｃ、Ａ／Ｃ／Ｂ、Ａ／Ｂ／Ｃ／Ｃ／Ｂ／Ａ、Ｃ／Ｂ／Ａ／Ａ／Ｂ／Ｃ、等の積層体の構成がそれぞれスリット糸の用途などに応じて適宜選択採用されてもよい。」（段落【０００９】）こと、「本発明は、上記の積層体をスリットした糸でありスリットすることで、たとえ層間に抗菌剤含有樹脂層が存在するときでも、スリット部から抗菌剤が開放存在しておるため、抗菌剤の効果が発揮される。・・・本発明のスリット糸は、該糸をそのままで、またポリエステルフィラメント等の繊維に種々の形態で巻き回したり、引きそろえて撚糸したりした状態で、・・・撚糸した状態で織物、編物、不織布等に全部または一部使用した形態で応用できる。」（段落【０００９】）ことが記載されている。
 上記記載からみて、先願明細書には、「織物又は編物において、織物、編物が、基材フィルムＡ上に無機薄膜層Ｂと抗菌剤含有樹脂層Ｃを設けたスリット糸をそのままで、また他の繊維に種々の形態で巻き回したり、引きそろえて撚糸したりした状態の糸を使用した織物又は編物」に係る発明が記載されている。
３−４　対比
　本件の請求項１に係る発明と先願明細書に記載された発明を対比すると、先願明細書に記載された発明の「基材フィルムＡ」、「抗菌剤含有樹脂層Ｃ」、「スリット糸」、「該スリット糸を他の繊維に種々の形態で巻き回したり、引きそろえて撚糸したりした状態の糸」は、それぞれ、本件の請求項１に係る発明の「プラスチックフィルム」、「抗菌層」、「偏平糸」、「該偏平糸を他の糸と丸撚り等の適宜撚った撚り糸」に相当するから、両者は、「織物又は編物において、織物、編物が、プラスチックフィルム上に抗菌層を設けた偏平糸をそのまま又は該偏平糸を他の糸と丸撚り等の適宜撚った撚り糸を使用した織物又は編物」である点で一致し、次の点で相違する。
　本件の請求項１に係る発明は、Ｃｕ又はＡｇからなる抗菌性を有する金属薄膜層である抗菌層を設けた偏平糸を使用した織物又は編物からなる抗菌性布団カバー・シーツであるのに対し、先願明細書に記載された織物又は編物は、無機薄膜層Ｂと抗菌剤含有樹脂層Ｃである抗菌層を設けた偏平糸を使用した抗菌性織物又は編物である点。
３−５　判断
　上記相違点について検討する。
（１）本件の請求項１に係る発明は、上記相違点であげたＣｕ又はＡｇからなる抗菌性を有する金属薄膜層である抗菌層を設けた偏平糸を使用した織物又は編物からなる抗菌性布団カバー・シーツの構成を採用することにより、布団カバー・シーツに抗菌性とともに虫の忌避効果をもたせるようにしたものである。
（２）これに対して、先願明細書に記載された織物又は編物に使用する偏平糸の抗菌層は、抗菌剤含有樹脂層Ｃからなるものであり、本件の請求項１に係る発明の抗菌層とは、その構成及び性質が相違しており、この両者の抗菌層の相違を単なる構成上の微差ということはできない。
（３）また、先願明細書に記載された無機薄膜層Ｂについてみると、先願明細書には、この無機薄膜層Ｂは装飾性を付与するためのものであり、その材料の一例として銅すなわちＣｕ又は銀すなわちＡｇが用いられること、酸化チタン含有薄膜層は抗菌の相乗効果、補完効果の点でより好ましいこと、無機薄膜層Ｂの厚さは、２０Å〜１０μｍの範囲が採用でき、より好ましくは１００Å〜３μｍであること、本発明のＡ、Ｂ、Ｃの積層体において、Ｂ／Ａ／Ｂ／Ｃ、Ｃ／Ｂ／Ａ／Ｃ、Ｂ／Ａ／Ｃ／Ｂ、Ａ／Ｂ／Ｃ、Ａ／Ｃ／Ｂ、Ａ／Ｂ／Ｃ／Ｃ／Ｂ／Ａ、Ｃ／Ｂ／Ａ／Ａ／Ｂ／Ｃ、等の積層体の構成がそれぞれスリット糸の用途などに応じて適宜選択採用されてもよいことが記載されている。そして、Ｃｕ及びＡｇが抗菌性を有することは、従来広く知られているから、先願明細書に記載された無機薄膜層Ｂの材料として先願明細書に記載されたようにＣｕ又はＡｇを選択した場合には、先願明細書には明示されていないものの、上記記載からみて、この無機薄膜層Ｂは抗菌性を有しているといえる。
　しかしながら、先願明細書に記載された発明は、装飾性を付与するために無機薄膜層Ｂを、抗菌性を付与するために抗菌剤含有樹脂層Ｃを設けることをその発明の必須の要件とするものであり、無機薄膜層Ｂの材料としてＣｕ又はＡｇを選択した結果、この無機薄膜層Ｂが抗菌性を有するとしても、この無機薄膜層Ｂのみで偏平糸に抗菌性を付与する構成、すなわち、抗菌剤含有樹脂層Ｃを欠いた構成については、先願明細書に何ら記載、示唆されていない。すなわち、先願明細書に記載された発明は、装飾性を付与する無機薄膜層Ｂの材料として抗菌性を有するＣｕ又はＡｇを選択した場合であっても、抗菌性を付与するために抗菌剤含有樹脂層を設けることを必須の要件とするものである。
（４）そうしてみると、本件の請求項１に記載された発明のＣｕ又はＡｇからなる抗菌性を有する金属薄膜層である抗菌層を設けた偏平糸からなる織物又は編物と、先願明細書に記載された発明のＣｕ又はＡｇからなる無機薄膜層Ｂと抗菌剤含有樹脂層Ｃである抗菌層を設けることを必須の要件とする偏平糸からなる織物又は編物とは、その構成及び作用効果が明らかに相違している。
（５）したがって、織物又は編物を布団カバー・シーツに用いることが自明な事項であるとしても、本件の請求項１に記載された発明と先願明細書に記載された発明は、上記検討したように織物又は編物に使用される偏平糸が相違するから、本件の請求項１に記載された発明が、先願明細書に記載された発明と同一であるすることはできない。　
３−６　むすび
　以上のとおりであるから、特許異議の申立の理由及び証拠によっては、本件の請求項１に係る発明についての特許を取り消すことはできない。
  また、他に本件の請求項１に係る発明についての特許を取り消すべき理由を発見しない。
　よって、結論のとおり決定する。
【異議決定日】
平成１２年８月２８日（２０００．８．２８）
【訂正の要旨】
特許請求の範囲の記載
「【請求項１】織物又は編物からなる布団カバー・シーツにおいて、織物又は編物が、プラスチックフイルム上に抗菌層を設けた偏平糸をそのまま又は該偏平糸を他の糸と丸撚り、たすき撚り等適宜撚った撚り糸を使用した織物又は編物であることを特徴とする、抗菌性布団カバー・シーツ。
　【請求項２】偏平糸が、抗菌層としてＣｕ又はＡｇからなる抗菌性を有する金属薄膜層を設けたものであり、かつ、偏平糸のエッジ部分及び抗菌層の表面部分で抗菌層が露出しているものである、請求項１記載の抗菌性布団カバー・シーツ。
　【請求項３】偏平糸が、抗菌層としてＣｕ又はＡｇからなる抗菌性を有する金属薄膜層を設け該抗菌層上に保護層を設けたものであり、かつ、偏平糸のエッジ部分で抗菌層が露出しているものである、請求項１記載の抗菌性布団カバー・シーツ。
　【請求項４】保護層が抗菌性を有するものである、請求項３記載の抗菌性布団カバー・シーツ。
　【請求項５】織物又は編物からなる布団カバー・シーツにおいて、織物又は編物が、偏平糸又は撚り糸を、本数にして２０〜７０％使用した織物又は編物である、請求項１〜４いずれかの項に記載の抗菌性布団カバーシーツ。」
を、
「【請求項１】織物又は編物からなる布団カバー・シーツにおいて、織物又は編物が、プラスチックフイルム上にＣｕ又はＡｇからなる抗菌性を有する金属薄膜層である抗菌層を設けた偏平糸をそのまま又は該偏平糸を他の糸と丸撚り、たすき撚り等適宜撚った撚り糸を使用した織物又は編物であることを特徴とする、抗菌性布団カバー・シーツ。
　【請求項２】偏平糸が、抗菌層としてＣｕ又はＡｇからなる抗菌性を有する金属薄膜層を設けたものであり、かつ、偏平糸のエッジ部分及び抗菌層の表面部分で抗菌層が露出しているものである、請求項１記載の抗菌性布団カバー・シーツ。
　【請求項３】偏平糸が、抗菌層としてＣｕ又はＡｇからなる抗菌性を有する金属薄膜層を設け該抗菌層上に保護層を設けたものであり、かつ、偏平糸のエッジ部分で抗菌層が露出しているものである、請求項１記載の抗菌性布団カバー・シーツ。
　【請求項４】保護層が抗菌性を有するものである、請求項３記載の抗菌性布団カバー・シーツ。
　【請求項５】織物又は編物からなる布団カバー・シーツにおいて、織物又は編物が、偏平糸又は撚り糸を、本数にして２０〜７０％使用した織物又は編物である、請求項１〜４いずれかの項に記載の抗菌性布団カバーシーツ。」
と訂正する。
（５４）【発明の名称】
布団カバー・シーツ
（５７）【特許請求の範囲】
　　【請求項１】織物又は編物からなる布団カバー・シーツにおいて、織物又は編物が、プラスチックフイルム上
にＣｕ又はＡｇからなる抗菌性を有する金属薄膜層である抗
　　【請求項２】偏平糸が、抗菌層としてＣｕ又はＡｇからなる抗菌性を有する金属薄膜層を設けたものであり、かつ、偏平糸のエッジ部分及び抗菌層の表面部分で抗菌層が露出しているものである、請求項１記載の抗菌性布団カバー・シーツ。
　　【請求項３】偏平糸が、抗菌層としてＣｕ又はＡｇからなる抗菌性を有する金属薄膜層を設け該抗菌層上に保護層を設けたものであり、かっ、偏平糸のエッジ部分で抗菌層が露出しているものである、請求項１記載の抗菌性布団カバー・シーツ。
　　【請求項４】保護層が抗菌性を有するものである、請求項３記載の抗菌性布団カバー・シーツ。
　　【請求項５】織物又は編物からなる布団カバー・シーツにおいて、織物又は編物が、偏平糸又は撚り糸を、本数にして２０〜７０％使用した織物又は編物である、請求項１〜４のいずれかの項に記載の抗菌性布団カバー・シーツ。
【発明の詳細な説明】
　　【０００１】
　　【発明の属する技術分野】
　本発明は、布団カバー・シーツに関するものである。
　　【０００２】
　　【従来の技術】
　従来の布団カバーやシーツは一般に通常の糸を使用した織物又は編物からなっていて肌触りや風合いは良好であるが、抗菌性はなく、清潔さが十分ではなかった。
　そこで、これを改善するため、織物又は編物の表面に抗菌性の樹脂をコーティングしたものが提案されている。
　　【０００３】
　　【発明が解決しようとする課題】
　しかし、織物又は編物の表面に抗菌性の樹脂をコーティングした布団カバーやシーツは、出来上がった織物又は編物の上から全面に抗菌性の樹脂をコーティングしたものであるので、洗濯等で該樹脂が剥がれやすい。また、樹脂がコーティング時に織物又は編物に浸透するので、樹脂の抗菌性が分散して弱くなり、抗菌性が不十分であった。
　本発明は上記の欠点を除去するもので、大腸菌や黄色ブドウ球菌等に対する抗菌性を十分に有していて、清潔さが十分であるとともに、洗濯等で抗菌層が容易に剥がれることもなく、また、抗菌性が分散して弱くならずに抗菌性を十分に有している布団カバー・シーツを提供するものである。
　　【０００４】
　　【課題を解決するための手段】
　本発明は、織物又は編物からなる布団カバー・シーツにおいて、織物又は編物が、プラスチックフイルム上に抗菌層を設けた偏平糸をそのまま又は該偏平糸を他の糸と丸撚り、たすき撚り等適宜撚った撚り糸を使用した織物又は編物であることを特徴とする、抗菌性布団カバー・シーツである。
　　本発明は、大腸菌や黄色ブドウ球菌等に対する抗菌性を十分に有していて、清潔さが十分である。
　　【０００５】
　本発明は、プラスチックフイルム上に抗菌層を設けた偏平糸をそのまま織物又は編物に使用することができるが、該偏平糸を他の糸例えば通常のポリエステル糸、ナイロン糸等と丸撚り、たすき撚り等適宜撚った撚り糸として織物又は編物に使用することもできる。
　プラスチックフイルム上に抗菌層を設けた偏平糸を丸撚り、たすき撚り等の撚り糸として織物又は編物に使用した場合には、該偏平糸をそのまま使用した場合に比べて織物又は編物の感触が柔らかくなるので、抗菌性布団カバー・シーツの肌触りや風合いが非常に良好になる。
　　【０００６】
　本発明のプラスチックフイルム上に抗菌層を設けた偏平糸は、抗菌層としてＣｕ又はＡｇからなる抗菌性を有する金属薄膜層又は抗菌性を有する樹脂層を設けることができるが、Ｃｕ又はＡｇからなる抗菌性を有する金属薄膜層を設けるのが好ましい。
　抗菌層としてＣｕ又はＡｇからなる抗菌性を有する金属薄膜層を設けた場合には、抗菌性を十分に有しているのみならず、虫の忌避効果もある。
　抗菌性を有する樹脂層は、適宜の抗菌剤を混入した適宜の樹脂による層である。
　　【０００７】
　本発明のプラスチックフイルム上に抗菌層を設けた偏平糸は、偏平糸のエッジ部分及び抗菌層の表面部分で抗菌層が露出しているので、抗菌性を十分に有している。
　　【０００８】
　本発明のプラスチックフイルム上に抗菌層を設けた偏平糸は、抗菌層上に適宜の樹脂により保護層を設けることもできる。
　抗菌層上に保護層を設けた場合には、抗菌層の耐侯性が向上する。また、この場合、偏平糸のエッジ部分で抗菌層が露出しているので、抗菌性は十分に有している。
　抗菌層上に保護層を設ける場合には、保護層に抗菌剤を混入して抗菌性を有する保護層とすることもできる。
　保護層を抗菌剤を有する保護層とした場合には、偏平糸のエッジ部分で抗菌層が露出しているのみならず、保護層の表面が露出していてしかも抗菌性を有しているので、抗菌性はさらに十分に有している。
　　【０００９】
　本発明の織物又は編物からなる抗菌性布団カバー・シーツは、織物又は編物が、偏平糸又は撚り糸を、本数にして５〜８０％、好ましくは１０〜７５％、最も好ましくは２０〜７０％使用した織物又は編物であるのが望ましい。
　偏平糸又は撚り糸を使用する本数の割合は、編物の場合は全体に使用する本数中での割合であり、織物の場合は偏平糸又は撚り糸を、縦糸に使用するときは縦糸全体に使用する本数中での割合、横糸に使用するときは横糸全体に使用する本数中での割合、縦糸と横糸両方に使用するときはそれぞれ全体に使用する本数中での割合である。
　織物と編物とでは組織が異なるので、偏平糸又は撚り糸の使用量も適する割合が異なるからである
　　【００１０】
　　【発明の実施の形態】
　　本発明におけるプラスチックフイルムとしては、偏平糸に通常使用されるプラスチックフイルムが使用でき、例えば、ポリエステルフイルム、ナイロンフイルム等が挙げられる。
　プラスチックフイルムの厚さは５〜５０μｍ、好ましくは６〜２５μｍ、さらに好ましくは６〜１２μｍが適当である。
　プラスチックフイルムの厚さが６〜１２μｍである場合には、プラスチックフイルムが非常に薄いので柔らかくなり、抗菌性布団カバー・シーツの肌触りや風合いが非常に良好になる。
　　【００１１】
　プラスチックフイルムの上、すなわちプラスチックフイルムの片面又は両面に抗菌層を設ける。
　抗菌層としてＣｕ又はＡｇからなる抗菌性を有する金属薄膜層を設ける場合には、真空蒸着、スパッタリング、イオンプレーティング等の従来公知の薄膜生成法によりプラスチックフイルム上に設けることができる。
　Ｃｕ又はＡｇからなる抗菌性を有する金属薄膜層は、４００〜１２００Å程度の厚さに設ける。
　抗菌性を有する金属薄膜層を設けるに先立ち、アクリル系樹脂、メラミン系樹脂、ウレタン系樹脂等適宜の樹脂によりアンダーコート層を形成しておいてもよい。
　　【００１２】
　抗菌層として抗菌性を有する樹脂層を設ける場合には、適宜の抗菌剤を混入した適宜の樹脂による層をプラスチックフイルム上に設ける。
　抗菌剤は、無機系の抗菌剤及び有機系の抗菌剤のいずれも使用でき、抗菌剤として具体的には、抗菌セラ・パウダー（商品名：新東Ｖセラックス株式会社製）、アメニトップ（商品名：松下電器産業株式会社製）等の市販品の抗菌剤が使用できる。
　抗菌性を有する樹脂層に使用する樹脂としては、アクリル系樹脂、メラミン系樹脂、ウレタン系樹脂等適宜の樹脂が挙げられる。
　抗菌剤は抗菌性を有する樹脂層中に０．０５〜２％程度混入すればよい。
　抗菌性を有する樹脂層はグラビアコーティング、リバースコーティング等の従来公知の樹脂コーティング法によりプラスチックフイルム上に設けることができる。
　抗菌性を有する樹脂層の厚さは、０．５〜１０μｍ程度が適当である。
　抗菌性を有する樹脂層は適宜着色してもよい。
　　【００１３】
　抗菌層としてＣｕ又はＡｇからなる抗菌性を有する金属薄膜層を設ける場合には、抗菌性を有する金属薄膜層上には、アクリル系樹脂、メラミン系樹脂、ウレタン系樹脂等適宜の樹脂により厚さ０．５〜３μｍ程度の保護層を設けることができる。
　　【００１４】
　保護層には抗菌剤を混入して抗菌性を有する保護層とすることもできる。
　保護層を抗菌性を有する保護層とした場合には、抗菌性布団カバー・シーツを構成する織物又は編物の表面がそのまま抗菌性を有するものとなるとともに、仮に抗菌性を有する保護層が剥離しても、該保護層の下には抗菌層すなわちＣｕ又はＡｇからなる抗菌性を有する金属薄膜層があるので、大腸菌や黄色ブドウ球菌等に対する抗菌性と清潔さは十分に保たれる。
　保護層には適宜着色してもよい。
　　【００１５】
　本発明の偏平糸は、プラスチックフイルムの抗菌層を設けていない面側等、適宜の位置に、適宜の着色層を設けてもよい。
　　【００１６】
　プラスチックフイルム上に抗菌層としてＣｕ又はＡｇからなる抗菌性を有する金属薄膜層又は抗菌性を有する樹脂層を設け、該抗菌層上に保護層を設けていない偏平糸は、偏平糸のエッジ部分及び抗菌層の表面部分で抗菌層が露出しているので、抗菌性を十分に有している。
　　【００１７】
　プラスチックフイルム上に抗菌層としてＣｕ又はＡｇからなる抗菌性を有する金属薄膜層を設け、該抗菌層上に保護層を設けた偏平糸は、偏平糸のエッジ部分で抗菌層が露出しているので、抗菌性を十分に有している。
　また、保護層を抗菌層を有する保護層とした場合には、偏平糸のエッジ部分で抗菌層が露出しているのみならず、保護層の表面が露出していてしかも抗菌性を有しているので、抗菌性はさらに十分に有している。
　　【００１８】
　プラスチックフイルム上に抗菌層を設けた偏平糸のエッジ部分で抗菌層を露出させるには、後に実施例で説明するように、抗菌層を設けた広幅長尺なプラスチックフイルムを縦長に裁断すればよい。
　　【００１９】
　本発明の織物又は編物からなる抗菌性布団カバー・シーツは、織物又は編物が、偏平糸又は撚り糸を、本数にして５〜８０％、好ましくは１０〜７５％、最も好ましくは２０〜７０％使用した織物又は編物であるのが望ましい。
　偏平糸又は撚り糸が５％より少ないと抗菌性が弱くなる。また、偏平糸又は撚り糸が８０％より多いと抗菌性は十分に有しているが、肌触りや風合いが低下する。
　偏平糸を２０〜７０％使用した場合には、抗菌性を十分に有しており、清潔さが十分であるのはもちろんのこと、洗濯等で抗菌層が容易に剥がれることもなく、また、抗菌性が分散して弱くならずに抗菌性を十分に有しており、さらに、肌触りや風合いも非常に良好である。
　　【００２０】
　本発明のプラスチックフイルム上に抗菌層を設けた偏平糸をそのまま又は該偏平糸を他の糸と丸撚り、たすき撚り等適宜撚った撚り糸を使用した織物又は編物は、抗菌性布団カバー・シーツに使用できるほか、布巾、雑巾、各種のシートなど、織物又は編物を使用した種々の用途に使用できる。
　　【００２１】
　　【実施例】
　実施例１
　厚さ１２μｍの広幅長尺なポリエステルフイルムの片面にアクリル樹脂を使用して厚さ０．５μｍのアンダーコート層を形成し、該アンダーコート層の上に真空蒸着によりＣｕ蒸着層を形成して厚さ１０００Åの抗菌性を有する金属薄膜層を設けた。
　次に、抗菌性を有する金属薄膜層上に、抗菌剤として抗菌セラ・パウダー（商品名：新東Ｖセラックス株式会社製）を０．３％混入したメラミン系樹脂を使用してグラビアコーティング法により厚さ１．０μｍの抗菌性を有する保護層を設け、さらに、このようにしたものを縦長に裁断して、エッジ部分で抗菌性を有する金属薄膜層が露出しているとともに、表面に抗菌性を有する保護層を設けた偏平糸を得た。
　得られた偏平糸をポリエステル糸を芯糸として丸撚りし、撚り糸を作製し、該撚り糸をポリエステル繊維糸とともに織成して、縦糸に偏平糸が本数で５０％交織された織物を得て、該織物により布団カバーを作製した。また、同様の織物によりシーツを作製した。
　作製したシーツ上で、黄色ブドウ球菌と大腸菌をそれぞれ培養（３７℃×２４時間×湿度９０％）して生残菌数を調べたところ、黄色ブドウ球菌は当初添加菌数３．４×１０５であったのが１００以下となり、大腸菌は当初添加菌数６．５×１０５であったのが１００以下となった。
　また、市販品のポリエステルの生地上で同様にして生残菌数を調べたところ、黄色ブドウ球菌は４．６×１０５となり、大腸菌は８．１×１０５となった。
　　【００２２】
　　【発明の効果】
　本発明は上記のように構成したから、本発明に係る抗菌性布団カバー・シーツは抗菌性を十分に有していて、清潔さが十分である。
　本発明は織物又は編物の上から全面に抗菌性の樹脂をコーティングしたもののように洗濯等で抗菌層が容易に剥がれることがない。
　また、織物又は編物の上から全面に抗菌性の樹脂をコーティングしたもののように樹脂がコーティング時に織物又は編物に浸透するということもないので、抗菌層の抗菌性が分散して弱くなることもなく抗菌性を十分に有している。
　本発明において偏平糸又は撚り糸を、本数にして２０〜７０％使用した場合には、抗菌性を十分に有しており、清潔さが十分であるのはもちろんのこと、洗濯等で抗菌層が容易に剥がれることもなく、また、抗菌性が分散して弱くならずに抗菌性を十分に有しており、さらに、肌触りや風合いも非常に良好である。
　また、本発明において保護層を抗菌性を有する保護層とした場合には、抗菌性布団カバー・シーツを構成する織物又は編物の表面がそのまま抗菌性を有するものとなるとともに、仮に抗菌性を有する保護層が剥離しても、該保護層の下には抗菌層すなわちＣｕ又はＡｇからなる抗菌性を有する金属薄膜層があるので、大腸菌や黄色ブドウ球菌等に対する抗菌性と清潔さは十分に保たれる。